(57)【要約】【課題】一対の端面間において反射光が増幅されることを抑制すると共に、一対の光ファイバの接続損失を低く抑える。【解決手段】光ファイバの接続構造１０によれば、一対の光ファイバ２０，２２における互いの突き合わせ側の端面２０Ａ，２２Ａは、互いに非平行状態で対向されている。従って、この一対の端面２０Ａ，２２Ａ間での多重反射を抑制することができるので、一対の端面２０Ａ，２２Ａ間において反射光が増幅されることを抑制できる。しかも、この一対の端面２０Ａ，２２Ａは、互いに一部が当接されており、互いに近接されているので、一対の光ファイバ２０，２２の接続損失を低く抑えることができる。【選択図】図２
2010237330.tif 000002
【特許請求の範囲】
【請求項１】
互いの光軸が一致するように突き合わされた一対の光ファイバを備え、
前記一対の光ファイバにおける互いの突き合わせ側の端面は、それぞれ平面状に形成されて互いに非平行状態で対向されると共に、互いに一部が当接されている、
光ファイバの接続構造。
【請求項２】
前記一対の端面間には、屈折率整合剤が介在されている、
請求項１に記載の光ファイバの接続構造。
【請求項３】
前記一対の端面間の前記光軸上における間隔は、１０μｍ以下とされている、
請求項２に記載の光ファイバの接続構造。
【請求項４】
前記一対の端面間の前記光軸上における間隔は、５μｍ以下とされている、
請求項１又は請求項２に記載の光ファイバの接続構造。
【請求項５】
前記一対の端面の一方は、前記光軸に対して垂直とされ、
前記一対の端面の他方は、前記光軸と垂直な方向に対して傾斜されている、
請求項１〜請求項４のいずれか一項に記載の光ファイバの接続構造。
【請求項６】
前記一対の端面は、前記光軸と垂直な方向に対して互いに異なる角度で傾斜されている、
請求項１〜請求項４のいずれか一項に記載の光ファイバの接続構造。
【請求項７】
前記一対の端面は、前記光軸と垂直な方向に対して互いに異なる傾斜角度で切断されることにより、前記光軸と垂直な方向に対して互いに異なる角度で傾斜されている、
請求項６に記載の光ファイバの接続構造。
【請求項８】
前記一対の端面は、前記光軸と垂直な方向に対する傾斜角度が互いに同一となるように切断されると共に、前記一対の光ファイバの少なくとも一方が他方に対して前記光軸回りに相対回転されることにより、前記光軸と垂直な方向に対して互いに異なる角度で傾斜されている、
請求項６に記載の光ファイバの接続構造。
【請求項９】
前記一対の端面は、前記光軸と垂直な方向に対する傾斜角度が互いに異なるように切断されると共に、前記一対の光ファイバの少なくとも一方が他方に対して前記光軸回りに相対回転されることにより、前記光軸と垂直な方向に対して互いに異なる角度で傾斜されている、
請求項６に記載の光ファイバの接続構造。
【請求項１０】
前記一対の光ファイバを保持する保持具を備えた、
請求項１〜請求項９のいずれか一項に記載の光ファイバの接続構造。
【請求項１１】
前記保持具は、
前記一対の光ファイバを保持する保持溝が形成された基板と、
前記基板とで前記一対の光ファイバを挟持する蓋と、
前記蓋を前記基板側に押圧する押圧部材と、
を備えたメカニカルスプライスとされている、
請求項１０に記載の光ファイバの接続構造。
【請求項１２】
前記保持具は、
前記一対の光ファイバを保持する保持溝が形成された基板と、
前記基板とで前記一対の光ファイバを挟持する蓋と、
前記蓋を前記基板側に押圧する押圧部材と、
前記一対の光ファイバのいずれかが内蔵され、前記基板に支持されたフェルールと、
を備えた現場付け光コネクタとされている、
請求項１０に記載の光ファイバの接続構造。
【請求項１３】
前記フェルールに内蔵された前記光ファイバの前記端面は、前記光軸と垂直な方向に対して傾斜されている、
請求項１１に記載の光ファイバの接続構造。
【請求項１４】
前記保持具は、
前記一対の光ファイバの一方を並列に複数配置した状態で保持する第一フェルールと、
前記一対の光ファイバの他方を並列に複数配置した状態で保持し、前記第一フェルールと接続された第二フェルールと、
を備えたＭＴ型コネクタとされている、
請求項１０に記載の光ファイバの接続構造。
【発明の詳細な説明】
【技術分野】
【０００１】
本発明は、光ファイバの接続構造に関する。
【背景技術】
【０００２】
従来、光ファイバの接続構造としては、次のものが知られている（例えば、特許文献１参照）。すなわち、特許文献１に記載の例において、一対の光ファイバは、互いの突き合わせ側の端面が光軸方向に対向された状態で光学的に接続されている。
【先行技術文献】
【特許文献】
【０００３】
【特許文献１】特許第３５１５３０５号公報
【発明の概要】
【発明が解決しようとする課題】
【０００４】
しかしながら、このような光ファイバの接続構造において、一対の光ファイバにおける互いの突き合わせ側の端面がそれぞれ光軸と垂直に切断されていた場合、この一対の端面間で微小な反射であっても多重反射による光の干渉が起こり、この干渉により強め合う波長では反射光が増幅される虞がある。
【０００５】
また、この一対の端面がそれぞれ光軸と垂直な方向に対して傾斜した状態に切断された場合であっても、この一対の端面の傾斜角度が同一である場合には、一対の端面間の距離が短くなるので、上記と同様に、一対の端面間で多重反射による光の干渉が起こり、反射光が増幅される虞がある。
【０００６】
また、一対の端面が互いに光軸方向に離間された場合には、一対の光ファイバの接続損失が大きくなる。
【０００７】
本発明は、上記課題に鑑みてなされたものであって、一対の光ファイバにおける互いの突き合わせ側の端面間において反射光が増幅されることを抑制できると共に、一対の光ファイバの接続損失を低く抑えることができる光ファイバの接続構造を提供することを目的とする。
【課題を解決するための手段】
【０００８】
前記課題を解決するために、請求項１に記載の光ファイバの接続構造は、互いの光軸が一致するように突き合わされた一対の光ファイバを備え、前記一対の光ファイバにおける互いの突き合わせ側の端面は、それぞれ平面状に形成されて互いに非平行状態で対向されると共に、互いに一部が当接されている。
【０００９】
なお、この場合の平面状とは、凹凸の無い完全な平面に形成されているだけでなく、製造時に止むを得ず生じる多少の凹凸も含む趣旨である。
【００１０】
この光ファイバの接続構造によれば、一対の光ファイバにおける互いの突き合わせ側の端面は、互いに非平行状態で対向されている。従って、この一対の端面間での多重反射を抑制することができるので、この一対の端面間において反射光が増幅されることを抑制できる。しかも、この一対の端面は、互いに一部が当接されており、互いに近接されているので、一対の光ファイバの接続損失を低く抑えることができる。
【００１１】
請求項２に記載の光ファイバの接続構造は、請求項１に記載の光ファイバの接続構造において、前記一対の端面間に屈折率整合剤が介在されたものである。
【００１２】
この光ファイバの接続構造によれば、各端面での光の反射を屈折率整合剤によって抑制することができる。
【００１３】
請求項３に記載の光ファイバの接続構造は、請求項１又は請求項２に記載の光ファイバの接続構造において、前記一対の端面間の前記光軸上における間隔が１０μｍ以下とされたものである。
【００１４】
ここで、この光ファイバの接続構造において、一対の端面間の光軸上における間隔が１０μｍより大きいと、一対の端面間の隙間に気泡が入り込む虞がある。
【００１５】
ところが、この光ファイバの接続構造によれば、一対の端面間の光軸上における間隔が１０μｍ以下とされているので、一対の端面間の隙間に気泡が入り込むことを抑制することができる。
【００１６】
請求項４に記載の光ファイバの接続構造は、請求項１又は請求項２に記載の光ファイバの接続構造において、前記一対の端面間の前記光軸上における間隔が５μｍ以下とされたものである。
【００１７】
ここで、この光ファイバの接続構造において、一対の端面間の光軸上における間隔が５μｍより大きいと、一対の光ファイバの接続損失が大きくなる。
【００１８】
ところが、この光ファイバの接続構造によれば、一対の端面間の光軸上における間隔が５μｍ以下とされているので、一対の光ファイバの接続損失を低く抑えることができる。
【００１９】
請求項５に記載の光ファイバの接続構造は、請求項１〜請求項４のいずれか一項に記載の光ファイバの接続構造において、前記一対の端面の一方が前記光軸に対して垂直とされ、前記一対の端面の他方が前記光軸と垂直な方向に対して傾斜されたものである。
【００２０】
この光ファイバの接続構造によれば、一対の端面の一方が一対の光ファイバの光軸に対して垂直とされ、一対の端面の他方が一対の光ファイバの光軸と垂直な方向に対して傾斜されているので、一対の端面が互いに非平行状態で対向される。
【００２１】
請求項６に記載の光ファイバの接続構造は、請求項１〜請求項４のいずれか一項に記載の光ファイバの接続構造において、前記一対の端面が前記光軸と垂直な方向に対して互いに異なる角度で傾斜されたものである。
【００２２】
この光ファイバの接続構造によれば、一対の端面が一対の光ファイバの光軸と垂直な方向に対して互いに異なる角度で傾斜されているので、一対の端面が互いに非平行状態で対向される。
【００２３】
ここで、一対の端面が一対の光ファイバの光軸と垂直な方向に対して互いに異なる角度で傾斜されるようにするために、例えば、次の構成とされていると好適である。
【００２４】
すなわち、請求項７に記載の光ファイバの接続構造において、一対の端面は、前記光軸と垂直な方向に対して互いに異なる傾斜角度で切断されることにより、前記光軸と垂直な方向に対して互いに異なる角度で傾斜されている。
【００２５】
また、請求項８に記載の光ファイバの接続構造において、一対の端面は、前記光軸と垂直な方向に対する傾斜角度が互いに同一となるように切断されると共に、前記一対の光ファイバの少なくとも一方が他方に対して前記光軸回りに相対回転されることにより、前記光軸と垂直な方向に対して互いに異なる角度で傾斜されている。
【００２６】
また、請求項９に記載の光ファイバの接続構造において、前記一対の端面は、前記光軸と垂直な方向に対する傾斜角度が互いに異なるように切断されると共に、前記一対の光ファイバの少なくとも一方が他方に対して前記光軸回りに相対回転されることにより、前記光軸と垂直な方向に対して互いに異なる角度で傾斜されている。
【００２７】
請求項１０に記載の光ファイバの接続構造は、請求項１〜請求項９のいずれか一項に記載の光ファイバの接続構造において、前記一対の光ファイバを保持する保持具を備えている。
【００２８】
この光ファイバの接続構造によれば、保持具によって一対の光ファイバを保持することができる。
【００２９】
なお、この保持具としては、例えば、次のものとされていると好適である。
【００３０】
すなわち、請求項１１に記載の光ファイバの接続構造において、前記保持具は、前記一対の光ファイバを保持する保持溝が形成された基板と、前記基板とで前記一対の光ファイバを挟持する蓋と、前記蓋を前記基板側に押圧する押圧部材と、を備えたメカニカルスプライスとされている。
【００３１】
また、請求項１２に記載の光ファイバの接続構造において、前記保持具は、前記一対の光ファイバを保持する保持溝が形成された基板と、前記基板とで前記一対の光ファイバを挟持する蓋と、前記蓋を前記基板側に押圧する押圧部材と、前記一対の光ファイバのいずれかが内蔵され、前記基板に支持されたフェルールと、を備えた現場付け光コネクタとされている。
【００３２】
なお、この場合に、請求項１３に記載の光ファイバの接続構造のように、フェルールに内蔵された光ファイバの端面が光軸と垂直な方向に対して傾斜されていると、より好適である。
【００３３】
また、請求項１４に記載の光ファイバの接続構造において、前記保持具は、前記一対の光ファイバの一方を並列に複数配置した状態で保持する第一フェルールと、前記一対の光ファイバの他方を並列に複数配置した状態で保持し、前記第一フェルールと接続された第二フェルールと、を備えたＭＴ型コネクタとされている。
【発明の効果】
【００３４】
以上詳述したように、本発明によれば、一対の光ファイバにおける互いの突き合わせ側の端面間において反射光が増幅されることを抑制できると共に、一対の光ファイバの接続損失を低く抑えることができる。
【図面の簡単な説明】
【００３５】
【図１Ａ】本発明の第一実施形態に係るメカニカルスプライスの斜視図である。
【図１Ｂ】図１のＡ−Ａ線断面図である。
【図２】図１のメカニカルスプライスに適用された光ファイバの接続構造の側面断面図である。
【図３】図２の光ファイバの接続構造における間隔Ｚと傾斜角度θとの関係を示す図である。
【図４】本発明の第二実施形態に係る光ファイバの接続構造の側面断面図である。
【図５】本発明の第三実施形態に係る光ファイバの接続構造の側面断面図である。
【図６】図５に示される光ファイバの接続構造を得るための手順を説明する図である。
【図７】図６の光ファイバの接続構造における間隔Ｚと回転角度φとの関係を示す図である。
【図８Ａ】本発明の第四実施形態に係る現場付け光コネクタの斜視図である。
【図８Ｂ】図８ＡのＢ−Ｂ線断面図である。
【図９Ａ】本発明の第五実施形態に係るＭＴ型コネクタの分解斜視図である。
【図９Ｂ】図９Ａに示されるＭＴ型コネクタの側面図である。
【図１０】第一比較例に係る光ファイバの接続構造の側面断面図である。
【図１１】第二比較例に係る光ファイバの接続構造の側面断面図である。
【発明を実施するための形態】
【００３６】
［第一実施形態］
はじめに、本発明の第一実施形態について説明する。
【００３７】
図１Ａに示されるように、本発明の第一実施形態に係る保持具としてのメカニカルスプライス６０は、基板１２と、複数の蓋１４と、複数の押圧部材１６とを備えている。
【００３８】
基板１２は、図１Ｂに示されるように、保持面１２Ａを有しており、この保持面１２Ａには、断面Ｖ字状の保持溝１８が形成されている。この保持溝１８は、図１Ａに示される一対の光ファイバ２０，２２を互いの光軸が一致するように突き合わせた状態で保持するためのものであり、基板１２の長手方向に沿って形成されている。複数の蓋１４は、この一対の光ファイバ２０，２２の光軸方向に並んで配置されており、それぞれ保持面１２Ａを覆うように保持面１２Ａと対向して設けられている。
【００３９】
各押圧部材１６は、図１Ｂに示されるように、一対の支持片２４，２６と、この支持片２４，２６を連結する連結部２８とを有する断面コの字状のバネにより構成されており、各蓋１４を基板１２側に押圧している。
【００４０】
そして、このメカニカルスプライス６０では、基板１２と各蓋１４とに形成された溝部２９に楔３２がそれぞれ挿入されると、各蓋１４が基板１２から離間されて、一対の光ファイバ２０，２２を保持溝１８の長手方向両側から保持溝１８に挿入可能な状態となる。
【００４１】
また、一対の光ファイバ２０，２２が保持溝１８に挿入された状態で楔３２が溝部２９から抜き去られると、各押圧部材１６によって各蓋１４が基板１２側に押圧されることにより、一対の光ファイバ２０，２２が基板１２及び複数の蓋１４によって挟持される。そして、一対の光ファイバ２０，２２は、上記要領で光学的に接続されている。
【００４２】
次に、このメカニカルスプライス６０における光ファイバの接続構造１０について説明する。
【００４３】
図２に示されるように、一対の光ファイバ２０，２２における互いの突き合わせ側の端面２０Ａ，２２Ａは、それぞれ平面状に形成されている。また、一方の端面２０Ａは、光軸Ａｘに対して垂直に切断されており、他方の端面２２Ａは、光軸Ａｘと垂直な方向に対して傾斜するように切断されている。
【００４４】
そして、この一対の端面２０Ａ，２２Ａは、互いに非平行状態で対向されると共に、互いに一部（図面下側の部分）が当接されている。また、この一対の端面２０Ａ，２２Ａ間には、例えば、シリコーングリース等の屈折率整合剤３４が介在されている。
【００４５】
さらに、一対の端面２０Ａ，２２Ａ間の光軸Ａｘ上における間隔は、１０μｍ以下、望ましくは、５μｍ以下とされている。
【００４６】
すなわち、一対の端面２０Ａ，２２Ａ間の光軸Ａｘ上における間隔をＺ、他方の端面２２Ａの光軸Ａｘと垂直な方向に対する傾斜角度をθ、一対の光ファイバ２０，２２の半径をｒとした場合、Ｚ＝ｒ×ｔａｎθの関係が成立する。また、この間隔Ｚと傾斜角度θとの具体的な関係は、図３に示される通りである。
【００４７】
つまり、間隔Ｚが１０μｍ以下である場合には、傾斜角度θは９．０°以下とされ、間隔Ｚが５μｍ以下である場合には、傾斜角度θは４．５°以下とされる。なお、一対の光ファイバ２０，２２の直径は、１２５μｍである。
【００４８】
次に、本発明の第一実施形態の作用及び効果について説明する。
【００４９】
先ず、本発明の第一実施形態の作用及び効果を明確にするために、比較例について説明する。
【００５０】
図１０に示される第一比較例に係る光ファイバの接続構造１１０では、一対の端面２０Ａ，２２Ａがそれぞれ光軸Ａｘと垂直に切断されている。この場合、この一対の端面２０Ａ，２２Ａ間で微小な反射であっても多重反射Ｒによる光の干渉が起こり、この干渉により強め合う波長では反射光Ｌが増幅される虞がある。つまり、一対の端面２０Ａ，２２Ａ間の距離をｄ、光の波長をλ、ｎを任意の自然数とすると、２ｄ＝ｎλが光の強め合う条件となる。
【００５１】
また、図１１に示される第二比較例に係る光ファイバの接続構造２１０では、一対の端面２０Ａ，２２Ａがそれぞれ光軸Ａｘと垂直な方向に対して傾斜した状態に切断されているが、この一対の端面２０Ａ，２２Ａの傾斜角度θ１，θ２が同一とされている。この場合には、一対の端面２０Ａ，２２Ａ間の距離が短くなるので、上記と同様に、一対の端面２０Ａ，２２Ａ間で多重反射Ｒによる光の干渉が起こり、反射光Ｌが増幅される虞がある。
【００５２】
また、図１０，図１１に示されるように、一対の端面２０Ａ，２２Ａが互いに光軸方向に離間された場合には、一対の光ファイバ２０，２２の接続損失が大きくなる。
【００５３】
これに対し、本発明の第一実施形態に係る光ファイバの接続構造１０によれば、図２に示されるように、一対の端面２０Ａ，２２Ａは、互いに非平行状態で対向されている。従って、この一対の端面２０Ａ，２２Ａ間での多重反射を抑制することができるので、一対の端面２０Ａ，２２Ａ間において反射光が増幅されることを抑制できる。しかも、この一対の端面２０Ａ，２２Ａは、互いに一部が当接されており、互いに近接されているので、一対の光ファイバ２０，２２の接続損失を低く抑えることができる。
【００５４】
また、この光ファイバの接続構造１０によれば、一対の端面２０Ａ，２２Ａ間には、屈折率整合剤３４が介在されている。従って、各端面２０Ａ，２２Ａでの光の反射を屈折率整合剤３４によって抑制することができる。
【００５５】
ここで、この光ファイバの接続構造１０において、一対の端面２０Ａ，２２Ａ間の光軸Ａｘ上における間隔が１０μｍより大きいと、一対の端面２０Ａ，２２Ａ間の隙間に気泡が入り込む虞がある。
【００５６】
ところが、この光ファイバの接続構造１０によれば、一対の端面２０Ａ，２２Ａ間の光軸Ａｘ上における間隔が１０μｍ以下とされているので、一対の端面２０Ａ，２２Ａ間の隙間に気泡が入り込むことを抑制することができる。
【００５７】
また、この光ファイバの接続構造１０において、一対の端面２０Ａ，２２Ａ間の光軸Ａｘ上における間隔が５μｍより大きいと、一対の光ファイバ２０，２２の接続損失が大きくなる。
【００５８】
ところが、この光ファイバの接続構造１０によれば、一対の端面２０Ａ，２２Ａ間の光軸Ａｘ上における間隔が望ましくは５μｍ以下とされるので、一対の光ファイバ２０，２２の接続損失を低く抑えることができる。
【００５９】
［第二実施形態］
次に、本発明の第二実施形態について説明する。
【００６０】
図４に示される本発明の第二実施形態に係る光ファイバの接続構造４０は、上述の本発明の第一実施形態に係る光ファイバの接続構造１０に対し、次の如く構成が変更されている。
【００６１】
すなわち、この光ファイバの接続構造４０において、一対の端面２０Ａ，２２Ａは、光軸Ａｘと垂直な方向に対して互いに異なる傾斜角度で切断されることにより、この光軸Ａｘと垂直な方向に対して互いに異なる角度で傾斜されている。つまり、一方の端面２０Ａの傾斜角度θ１と、他方の端面２２Ａの傾斜角度θ２とは異なる角度とされている。
【００６２】
また、この光ファイバの接続構造４０では、一対の端面２０Ａ，２２Ａ間の光軸Ａｘ上における間隔が１０μｍ以下、望ましくは、５μｍ以下となるように、傾斜角度（切断角度）θ１，θ２が設定されている。
【００６３】
この光ファイバの接続構造４０によっても、一対の端面２０Ａ，２２Ａが互いに非平行状態で対向されているので、この一対の端面２０Ａ，２２Ａ間での多重反射を抑制することができ、一対の端面２０Ａ，２２Ａ間において反射光が増幅されることを抑制できる。また、この一対の端面２０Ａ，２２Ａは、互いに一部が当接されており、互いに近接されているので、一対の光ファイバ２０，２２の接続損失を低く抑えることができる。
【００６４】
［第三実施形態］
次に、本発明の第三実施形態について説明する。
【００６５】
図５に示される本発明の第三実施形態に係る光ファイバの接続構造５０は、上述の本発明の第一実施形態に係る光ファイバの接続構造１０に対し、次の如く構成が変更されている。
【００６６】
すなわち、この光ファイバの接続構造５０において、一対の端面２０Ａ，２２Ａは、図６の上図に示されるように、光軸Ａｘと垂直な方向に対する傾斜角度が互いに同一となるように切断されている。つまり、一方の端面２０Ａの傾斜角度θ１と、他方の端面２２Ａの傾斜角度θ２とは同一の角度とされている。
【００６７】
そして、この一対の光ファイバ２０，２２が互いに突き合わされた状態とされた後、図６の下図に示されるように、他方の光ファイバ２２が一方の光ファイバ２０に対して光軸Ａｘ回りに回転角度φだけ回転されることにより、一対の端面２０Ａ，２２Ａは、光軸Ａｘと垂直な方向に対して互いに異なる角度で傾斜されている。
【００６８】
なお、図５及び図６の下図において、一対の端面２０Ａ，２２Ａは、互いに一部が当接された状態で示されていないが、この図に示されない部分において、互いに一部が当接された状態とされている。
【００６９】
また、この光ファイバの接続構造５０では、一対の端面２０Ａ，２２Ａ間の光軸Ａｘ上における間隔が１０μｍ以下、望ましくは、５μｍ以下となるように、傾斜角度（切断角度）θ１，θ２、及び、回転角度φが適宜設定されている。
【００７０】
すなわち、間隔Ｚと、傾斜角度θ１，θ２と、回転角度φとの具体的な関係は、例えば、図７に示される通りである。
【００７１】
つまり、例えば、傾斜角度θ１，θ２が１０°のときに、間隔Ｚが１０μｍ以下である場合には、回転角度φは約５０°以下とされ、間隔Ｚが５μｍ以下である場合には、回転角度φは約２５°以下とされる。
【００７２】
また、例えば、傾斜角度θ１，θ２が８°のときに、間隔Ｚが１０μｍ以下である場合には、回転角度φは約７０°以下とされ、間隔Ｚが５μｍ以下である場合には、回転角度φは約３５°以下とされる。
【００７３】
また、例えば、傾斜角度θ１，θ２が６°のときに、間隔Ｚが１０μｍ以下である場合には、回転角度φは約１００°以下とされ、間隔Ｚが５μｍ以下である場合には、回転角度φは約４０°以下とされる。
【００７４】
この光ファイバの接続構造５０によっても、一対の端面２０Ａ，２２Ａが互いに非平行状態で対向されているので、この一対の端面２０Ａ，２２Ａ間での多重反射を抑制することができ、一対の端面２０Ａ，２２Ａ間において反射光が増幅されることを抑制できる。また、この一対の端面２０Ａ，２２Ａは、互いに一部が当接されており、互いに近接されているので、一対の光ファイバ２０，２２の接続損失を低く抑えることができる。
【００７５】
なお、この光ファイバの接続構造５０においては、一方の光ファイバ２０が他方の光ファイバ２２に対して光軸Ａｘ回りに回転されることにより、一対の端面２０Ａ，２２Ａが光軸Ａｘと垂直な方向に対して互いに異なる角度で傾斜されても良い。また、一対の光ファイバ２０，２２が互いに光軸Ａｘ回りに回転されることにより、一対の端面２０Ａ，２２Ａが光軸Ａｘと垂直な方向に対して互いに異なる角度で傾斜されても良い。
【００７６】
また、この光ファイバの接続構造５０において、一対の端面２０Ａ，２２Ａは、傾斜角度θ１，θ２が互いに異なるように切断されると共に、一対の光ファイバ２０，２２の少なくとも一方が他方に対して光軸Ａｘ回りに相対回転されることにより、光軸Ａｘと垂直な方向に対して互いに異なる角度で傾斜されても良い。
【００７７】
また、この光ファイバの接続構造５０において、一対の光ファイバ２０，２２の切断時に、一対の端面２０Ａ，２２Ａの傾斜角度（切断角度）θ１，θ２がばらつく場合には、一対の端面２０Ａ，２２Ａ間での多重反射を抑制することができるような回転角度φに適宜調節されても良い。
【００７８】
［第四実施形態］
次に、本発明の第四実施形態について説明する。
【００７９】
図８Ａ，図８Ｂに示される本発明の第四実施形態では、上述の光ファイバの接続構造１０が保持具としての現場付け光コネクタ７０に適用されている。
【００８０】
この現場付け光コネクタ７０は、基板４２と、蓋４４と、押圧部材４６と、フェルール４７とを備えている。なお、図８Ａでは、現場付け光コネクタ７０から図８Ｂに示される蓋４４及び押圧部材４６が省かれて図示されている。
【００８１】
基板４２は、板状に形成された基板本体４９と、環状に構成されたフェルールホルダ５２とを一体に有する構成とされている。基板本体４９には、平面状の保持面４２Ａが形成されており、この保持面４２Ａには、一対の光ファイバ２０，２２を保持する断面Ｕ字状の保持溝４８が基板本体４９の長手方向に沿って形成されている。また、フェルールホルダ５２は、基板本体４９における長手方向一方側に位置されている。
【００８２】
蓋４４は、上述の基板本体４９と略同様な形状とされており、保持面４２Ａを覆うように保持面４２Ａと対向して設けられている。
【００８３】
押圧部材４６は、断面Ｃ字状のバネにより構成されている。この押圧部材４６は、その内部に基板本体４９と蓋４４とを収容しており、蓋４４を基板本体４９側に押圧している。
【００８４】
フェルール４７は、フェルールホルダ５２に形成された孔部５４に挿入されることにより基板４２に支持されている。このフェルール４７は、保持溝４８の長手方向一方側と連通する連通孔５６を有すると共に、この連通孔５６に一方の光ファイバ２０（裸ファイバ）が内蔵された構成とされている。この一方の光ファイバ２０の後端側は、保持溝４８に長手方向一方側から挿入されて保持されている。
【００８５】
そして、この現場付け光コネクタ７０では、図８Ｂに示されるように、基板本体４９と蓋４４とに形成された溝部５９に楔６２が挿入されると、蓋４４が基板本体４９から離間されて、他方の光ファイバ２２を保持溝４８の長手方向他方側から保持溝４８に挿入可能な状態となる。
【００８６】
また、他方の光ファイバ２２が保持溝４８に挿入された状態で楔６２が溝部５９から抜き去られると、押圧部材４６によって蓋４４が基板本体４９側に押圧されることにより、一対の光ファイバ２０，２２が基板本体４９及び蓋４４によって挟持される。そして、一対の光ファイバ２０，２２は、上記要領で光学的に接続されている。
【００８７】
また、この現場付け光コネクタ７０では、フェルール４７に内蔵された光ファイバ２０の端面２０Ａが光軸に対して予め傾斜されている。このような構成とされていると、一対の光ファイバ２０，２２の接続現場において、他方の光ファイバ２２の端面２２Ａを光軸と垂直な方向に対して傾斜した状態に切断しなくても、一対の端面２０Ａ，２２Ａを非平行状態とすることができる。
【００８８】
なお、本実施形態では、現場付け光コネクタ７０に上述の本発明の第一実施形態に係る光ファイバの接続構造１０が適用されていたが、この現場付け光コネクタ７０に上述の本発明の第二実施形態に係る光ファイバの接続構造４０又は本発明の第三実施形態に係る光ファイバの接続構造５０が適用されても良い。
【００８９】
［第五実施形態］
次に、本発明の第五実施形態について説明する。
【００９０】
図９Ａ，図９Ｂに示される本発明の第五実施形態では、上述の光ファイバの接続構造１０が保持具としてのＭＴ型コネクタ８０に適用されている。
【００９１】
すなわち、このＭＴ型コネクタ８０は、第一フェルール７２と、第二フェルール７４と、クリップ７６とを備えている。第一フェルール７２は、一方の光ファイバ２０を並列に複数配置した状態で保持しており、第二フェルール７４は、他方の光ファイバ２２を並列に複数配置した状態で保持している。
【００９２】
また、第二フェルール７４には、一対の光ファイバ２０，２２の光軸方向と平行な方向に沿って一対のピン９６が突設されており、第一フェルール７２には、この一対のピン９６が挿入される図示しない孔部が形成されている。
【００９３】
そして、この第一フェルール７２及び第二フェルール７４は、一対のピン９６が上述の孔部に挿入されることにより、互いに位置決めされると共に、クリップ７６により互いに押圧状態で接続されている。これにより、各一方の光ファイバ２０と各他方の光ファイバ２２とは、互いの光軸が一致するように突き合わされて光学的に接続されている。
【００９４】
なお、本実施形態では、ＭＴ型コネクタ８０に上述の本発明の第一実施形態に係る光ファイバの接続構造１０が適用されていたが、このＭＴ型コネクタ８０に上述の本発明の第二実施形態に係る光ファイバの接続構造４０又は本発明の第三実施形態に係る光ファイバの接続構造５０が適用されても良い。
【００９５】
以上、本発明の一実施形態について説明したが、本発明は、上記に限定されるものでなく、その主旨を逸脱しない範囲内において種々変形して実施することが可能であることは勿論である。
【符号の説明】
【００９６】
１０，４０，５０  光ファイバの接続構造
１２，４２  基板
１４，４４  蓋
１６，４６  押圧部材
１８  保持溝
２０，２２  光ファイバ
２０Ａ，２２Ａ  端面
３４  屈折率整合剤
４７  フェルール
６０  メカニカルスプライス（保持具）
７０  現場付け光コネクタ（保持具）
７２  第一フェルール
７４  第二フェルール
８０  ＭＴ型コネクタ（保持具）
【図１Ａ】
2010237330.tif 000003
【図１Ｂ】
2010237330.tif 000004
【図２】
2010237330.tif 000005
【図３】
2010237330.tif 000006
【図４】
2010237330.tif 000007
【図５】
2010237330.tif 000008
【図６】
2010237330.tif 000009
【図７】
2010237330.tif 000010
【図８Ａ】
2010237330.tif 000011
【図８Ｂ】
2010237330.tif 000012
【図９Ａ】
2010237330.tif 000013
【図９Ｂ】
2010237330.tif 000014
【図１０】
2010237330.tif 000015
【図１１】
2010237330.tif 000016